【手続補正書】
【提出日】平成28年7月6日(2016.7.6)
【手続補正１】
【補正対象書類名】特許請求の範囲
【補正対象項目名】全文
【補正方法】変更
【補正の内容】
【特許請求の範囲】
【請求項１】
ワイヤレス局とワイヤレスに通信する方法であって、
トランシーバでデータパケットを受信することと、ここにおいて、前記トランシーバは動作中、第１の電力レベルで電力を消費するように構成される、
前記トランシーバで第１の時間期間中に、前記ワイヤレス局からバックオフ信号を受信することと、ここにおいて、前記バックオフ信号は、第２の時間期間を示すように構成される、
前記第２の時間期間中前記トランシーバからワイヤレス信号を送信するのを控えることと、
受信機で前記ワイヤレス局から受信されたウェイクアップ信号を検出することと、ここにおいて、前記受信機は、動作中、前記第１の電力レベルよりも低い第２の電力レベルで電力を消費するように構成される、
前記受信機が前記ウェイクアップ信号を首尾よく検出するとき、前記トランシーバをウェイクアップすることと
を備え、前記ウェイクアップ信号の送信帯域幅は、ＩＥＥＥ８０２．１１プリアンブル送信帯域幅よりも小さく、前記受信機は、ワイヤレスチャネルを介して前記ウェイクアップ信号を検出するように構成され、前記ワイヤレスチャネルの帯域幅は、前記ＩＥＥＥ８０２．１１プリアンブル送信帯域幅よりも小さい、
方法。
【請求項２】
前記バックオフ信号の送信帯域幅は、ＩＥＥＥ８０２．１１プリアンブルの送信帯域幅よりも小さい、
請求項１に記載の方法。
【請求項３】
前記方法は、
前記ワイヤレス局によって送信されたヌルフレームを受信することと、
少なくとも部分的に前記ヌルフレームに基づいてクリアチャネルアセスメントを行うことと
をさらに備える、請求項１に記載の方法。
【請求項４】
前記ウェイクアップ信号を検出することは、繰り返し発生する時間期間で前記ウェイクアップ信号を検出することを備える、
請求項１に記載の方法。
【請求項５】
前記ウェイクアップ信号を検出することは、前記ウェイクアップ信号の送信時間期間を検出することをさらに備える、
請求項１に記載の方法。
【請求項６】
前記送信時間期間を検出することは、ＩＥＥＥ８０２．１１プリアンブルに基づいて前記送信時間期間を検出することを備える、
請求項５に記載の方法。
【請求項７】
前記送信時間期間を検出することは、ＩＥＥＥ８０２．１１ＰＰＤＵ送信持続時間を検出することを備える、
請求項５に記載の方法。
【請求項８】
前記ウェイクアップ信号を検出することは、前記ウェイクアップ信号のチェックサムに基づいて前記ウェイクアップ信号の首尾よい復号を検出することを備える、
請求項７に記載の方法。
【請求項９】
前記ウェイクアップ信号を検出することは、前記ウェイクアップ信号のペイロードを復号することをさらに備える、
請求項１に記載の方法。
【請求項１０】
ワイヤレス媒体を介してトランシーバおよび受信機とワイヤレスに通信する方法であって、
前記トランシーバが時間期間中前記ワイヤレス媒体へのアクセスを保留するように、前記トランシーバに前記時間期間を示すように構成されたバックオフ信号を生成することと、
前記トランシーバおよび前記受信機に前記バックオフ信号を送信することと、
ＩＥＥＥ８０２．１１プリアンブル送信帯域幅よりも小さい帯域幅で、ワイヤレスチャネルを介してウェイクアップ信号を前記受信機に送信することと
を備え、ウェイクアップ信号は、前記トランシーバをウェイクアップさせるように構成される、
方法。
【請求項１１】
前記バックオフ信号を生成することは、プリアンブルを備える前記バックオフ信号を生成することをさらに備え、前記プリアンブルは、前記トランシーバが前記バックオフ信号の送信持続時間中前記ワイヤレス媒体への前記アクセスを保留するように、前記トランシーバに前記バックオフ信号の前記送信持続時間を示すように構成される、
請求項１０に記載の方法。
【請求項１２】
前記バックオフ信号を送信することは、ワイヤレスチャネルを介して前記バックオフ信号を送信することを備え、前記ワイヤレスチャネルの送信帯域幅は、ＩＥＥＥ８０２．１１プリアンブルの送信帯域幅よりも小さくあるように構成される、
請求項１０に記載の方法。
【請求項１３】
ワイヤレス局とワイヤレスに通信するための装置であって、
データパケットを受信するための手段と、ここにおいて、受信するための前記手段は動作中、第１の電力レベルで電力を消費するように構成される、
第１の時間期間中に、前記ワイヤレス局からバックオフ信号を受信するための手段と、ここにおいて、前記バックオフ信号は、第２の時間期間を示すように構成される、
前記第２の時間期間中ワイヤレス信号を送信するのを控えるための手段と、
前記ワイヤレス局から受信されたウェイクアップ信号を検出するための手段と、ここにおいて、検出するための前記手段は動作中、前記第１の電力レベルよりも低い第２の電力レベルで電力を消費するように構成される、
検出するための前記手段が前記ウェイクアップ信号を首尾よく検出するとき、受信するための前記手段をウェイクアップするための手段と
を備え、前記ウェイクアップ信号の送信帯域幅は、ＩＥＥＥ８０２．１１プリアンブル送信帯域幅よりも小さく、検出するための前記手段は、ワイヤレスチャネルを介して前記ウェイクアップ信号を検出するように構成され、前記ワイヤレスチャネルの帯域幅は、前記ＩＥＥＥ８０２．１１プリアンブル送信帯域幅よりも小さい、
装置。
【請求項１４】
前記装置は、
前記ワイヤレス局によって送信されたヌルフレームを受信するための手段と、
少なくとも部分的に前記ヌルフレームに基づいてクリアチャネルアセスメントを行うための手段と
をさらに備える、請求項１３に記載の装置。
【請求項１５】
ワイヤレス媒体を介してトランシーバおよび受信機とワイヤレスに通信するための装置であって、
前記トランシーバが時間期間中前記ワイヤレス媒体へのアクセスを保留するように、前記トランシーバに前記時間期間を示すように構成されたバックオフ信号を生成するための手段と、
前記トランシーバおよび前記受信機に前記バックオフ信号を送信するための手段と、
ＩＥＥＥ８０２．１１プリアンブル送信帯域幅よりも小さい帯域幅で、ワイヤレスチャネルを介してウェイクアップ信号を前記受信機に送信するための手段と
を備え、前記ウェイクアップ信号は、前記トランシーバをウェイクアップさせるように構成される、
装置。
【手続補正２】
【補正対象書類名】明細書
【補正対象項目名】０１２１
【補正方法】変更
【補正の内容】
【０１２１】
[00131]前述の内容は本開示の態様を対象としているけれども、本開示の他のおよびさらなる態様が、その基本的な範囲から逸脱することなく考案されることができ、その範囲は、下記の請求項によって決定される。
以下に、本願出願の当初の特許請求の範囲に記載された発明を付記する。
［Ｃ１］
ワイヤレス局とワイヤレスに通信するための装置であって、
第１の時間期間中に、前記ワイヤレス局からバックオフ信号を受信するように構成された第１のトランシーバと、ここにおいて、前記バックオフ信号は、第２の時間期間を示すように構成される、
前記第１のトランシーバに動作するように結合され、かつ前記第１のトランシーバが前記第２の時間期間中にワイヤレス信号を送信することを抑制するように構成されたプロセッサと
を備える装置。
［Ｃ２］
前記バックオフ信号は、前記バックオフ信号の送信持続時間の情報を備えるプリアンブルをさらに備え、前記プロセッサは、前記第１のトランシーバが前記送信持続時間中に前記ワイヤレス信号を送信することを抑制するようにさらに構成される、
Ｃ１に記載の装置。
［Ｃ３］
前記送信持続時間は、ＩＥＥＥ８０２．１１ＰＰＤＵ送信持続時間を備える、
Ｃ２に記載の装置。
［Ｃ４］
前記バックオフ信号はチェックサムをさらに備え、前記プロセッサは、前記チェックサムに基づいて前記バックオフ信号の首尾よい復号を検出するようにさらに構成される、
Ｃ１に記載の装置。
［Ｃ５］
前記バックオフ信号の送信帯域幅は、ＩＥＥＥ８０２．１１プリアンブルの送信帯域幅よりも小さい、
Ｃ１に記載の装置。
［Ｃ６］
前記ワイヤレス局は、前記第２の時間期間中に、第２の受信機に別の信号を送信するようにさらに構成され、前記第１のトランシーバによって送られた前記ワイヤレス信号の不在は、前記第２の時間期間中に前記第２の受信機によって受信される前記別の信号への干渉を低減する、
Ｃ１に記載の装置。
［Ｃ７］
前記バックオフ信号は、データを含むペイロードをさらに備え、前記第２の受信機は、前記データを復号するようにさらに構成される、
Ｃ６に記載の装置。
［Ｃ８］
前記バックオフ信号は、少なくとも１つの単相信号を含むペイロードをさらに備え、前記第２の受信機は、前記少なくとも１つの単相信号を検出するために複数の相関器をさらに備える、
Ｃ６に記載の装置。
［Ｃ９］
前記バックオフ信号は、少なくとも１つの第１のウェイクアップ信号および第２のウェイクアップ信号をさらに備え、前記少なくとも１つの第１のウェイクアップ信号は、前記第２の受信機をウェイクアップさせるように構成され、前記第２のウェイクアップ信号は、第３の受信機をウェイクアップさせるように構成される、
Ｃ６に記載の装置。
［Ｃ１０］
前記第１のトランシーバは、前記ワイヤレス局によって送信されたヌルフレームを受信するように構成され、前記プロセッサは、少なくとも部分的に前記ヌルフレームに基づいてクリアチャネルアセスメントを行うようにさらに構成される、
Ｃ１に記載の装置。
［Ｃ１１］
前記第１のトランシーバは、前記ワイヤレス局によって送信された送信可（clear to send）信号を受信するように構成され、前記送信可信号は、前記第１の時間期間または前記第２の時間期間のうちの少なくとも１つを備える第３の時間期間を示すように構成され、前記プロセッサは、前記第１のトランシーバが前記第３の時間期間中前記ワイヤレス信号を送信することを抑制するようにさらに構成される、
Ｃ６に記載の装置。
［Ｃ１２］
動作中、ワイヤレスにデータパケットを受信し、第１の電力レベルで電力を消費するように構成された第１の受信機と、
前記第１の受信機に動作するように結合され、かつ、送信機局から受信されたウェイクアップ信号を検出するように構成された第２の受信機と、ここにおいて、前記第２の受信機は、動作中、前記第１の電力レベルよりも低い第２の電力レベルで電力を消費するように構成される、
前記第１の受信機および前記第２の受信機に動作するように結合され、かつ前記第２の受信機が前記ウェイクアップ信号を首尾よく検出するとき、前記第１の受信機をウェイクアップさせるように構成されたプロセッサと
をさらに備える、Ｃ１に記載の装置。
［Ｃ１３］
前記第１の受信機は、前記第１の受信機が前記データパケットを受信した後にスリープするようにさらに構成される、
Ｃ１２に記載の装置。
［Ｃ１４］
前記第２の受信機は、繰り返し発生する（recurring）時間期間中に前記ウェイクアップ信号を検出するようにさらに構成される、
Ｃ１２に記載の装置。
［Ｃ１５］
前記繰り返し発生する時間期間は、規格によって定義される繰り返し発生する時間期間を備える、
Ｃ１４に記載の装置。
［Ｃ１６］
前記繰り返し発生する時間期間は、前記プロセッサと前記送信機局との間でネゴシエートされる繰り返し発生する時間期間を備える、
Ｃ１４に記載の装置。
［Ｃ１７］
前記ウェイクアップ信号は、前記ウェイクアップ信号の送信持続時間の情報を含むプリアンブルを備え、前記第２の受信機は、前記送信持続時間の少なくとも１つの部分中に前記ウェイクアップ信号の少なくとも１つの部分をさらに検出する、
Ｃ１２に記載の装置。
［Ｃ１８］
前記プリアンブルは、ＩＥＥＥ８０２．１１プリアンブルである、
Ｃ１７に記載の装置。
［Ｃ１９］
前記ウェイクアップ信号の送信帯域幅は、ＩＥＥＥ８０２．１１プリアンブル送信帯域幅よりも小さく、前記第２の受信機は、ワイヤレスチャネルを介して前記ウェイクアップ信号を検出するように構成され、前記ワイヤレスチャネルの帯域幅は、前記ＩＥＥＥ８０２．１１プリアンブル送信帯域幅よりも小さい、
Ｃ１２に記載の装置。
［Ｃ２０］
前記ウェイクアップ信号は、ＩＥＥＥ８０２．１１ＰＰＤＵを備え、前記プロセッサは、前記ＩＥＥＥ８０２．１１ＰＰＤＵを復調するようにさらに構成される、
Ｃ１２に記載の装置。
［Ｃ２１］
前記ウェイクアップ信号は、チェックサムをさらに備え、前記プロセッサは、前記チェックサムに基づいて前記ウェイクアップ信号の首尾よい復号を検出するようにさらに構成される、
Ｃ１２に記載の装置。
［Ｃ２２］
前記ウェイクアップ信号は、ペイロードをさらに備え、前記プロセッサは、前記ペイロードを復号するようにさらに構成される、
Ｃ１２に記載の装置。
［Ｃ２３］
前記ウェイクアップ信号は、少なくとも１つの単相信号を含むペイロードをさらに備え、前記第２の受信機は、前記少なくとも１つの単相信号を検出するようにさらに構成された複数の相関器を備える、
Ｃ１２に記載の装置。
［Ｃ２４］
別のウェイクアップ信号は、第３の受信機をウェイクアップさせるために前記送信機局によって送信される、
Ｃ１２に記載の装置。
［Ｃ２５］
前記ウェイクアップ信号および前記別のウェイクアップ信号は、前記ウェイクアップ信号の送信持続時間、または前記別のウェイクアップ信号の別の送信持続時間のうちの少なくとも１つの情報を備えるプリアンブルを共有する、
Ｃ２４に記載の装置。
［Ｃ２６］
前記送信機局が前記ウェイクアップ信号を送信した後に、ヌルフレームは前記送信機局によって送信され、前記プロセッサはさらに、少なくとも部分的に前記ヌルフレームに基づいてクリアチャネルアセスメントを行うように構成される、
Ｃ１２に記載の装置。
［Ｃ２７］
前記第２の受信機は、前記送信機局によって送信された送信可信号を受信するようにさらに構成され、前記送信可信号は、前記ウェイクアップ信号の送信時間期間の情報を備える、
Ｃ１２に記載の装置。
［Ｃ２８］
前記送信可信号は、前記送信機局のアドレス、前記第２の受信機のアドレス、または別の所定のアドレスのうちの少なくとも１つの情報を備える、
Ｃ２７に記載の装置。
［Ｃ２９］
前記第２の受信機は、オンオフ変調または周波数偏移変調のうちの少なくとも１つを使用して前記ウェイクアップ信号を検出するように構成される、
Ｃ１２に記載の装置。
［Ｃ３０］
ワイヤレス媒体を介してワイヤレスの第１のトランシーバおよび第２のワイヤレス受信機とワイヤレスに通信するための装置であって、前記装置は、
前記第１のトランシーバが時間期間中前記ワイヤレス媒体へのアクセスを保留するための前記時間期間を示すように構成されたバックオフ信号を生成するように構成されたプロセッサと、
前記プロセッサに動作するように結合され、かつ前記第１のトランシーバおよび前記第２の受信機に前記バックオフ信号を送信するように構成された送信機と
を備え、前記バックオフ信号は、前記第２の受信機をウェイクアップさせるように構成される、
装置。
［Ｃ３１］
前記バックオフ信号は、前記バックオフ信号の送信持続時間の情報を備えるプリアンブルをさらに備え、前記第１のトランシーバは、前記バックオフ信号の前記送信持続時間中前記ワイヤレス媒体への前記アクセスを保留するようにさらに構成される、
Ｃ３０に記載の装置。
［Ｃ３２］
前記バックオフ信号はチェックサムをさらに備え、前記第１のトランシーバまたは前記第２の受信機のうちの少なくとも１つは、前記チェックサムに基づいて前記バックオフ信号の首尾よい復号を検出するように構成される、
Ｃ３０に記載の装置。
［Ｃ３３］
前記バックオフ信号は、データを備えるペイロードをさらに備え、前記第１のトランシーバまたは前記第２の受信機のうちの少なくとも１つは、前記データを復号するようにさらに構成される、
Ｃ３０に記載の装置。
［Ｃ３４］
前記バックオフ信号の送信持続時間は、ＩＥＥＥ８０２．１１ＰＰＤＵ送信持続時間を備える、
Ｃ３０に記載の装置。
［Ｃ３５］
前記バックオフ信号の送信帯域幅は、ＩＥＥＥ８０２．１１プリアンブルの送信帯域幅よりも小さい、
Ｃ３０に記載の装置。
［Ｃ３６］
前記バックオフ信号は、少なくとも１つの単相信号を備えるペイロードをさらに備え、前記第１のトランシーバまたは前記第２の受信機のうちの少なくとも１つは、前記少なくとも１つの単相信号を検出するために複数の相関器をさらに備える、
Ｃ３０に記載の装置。
［Ｃ３７］
前記送信機は、別のバックオフ信号を送信するようにさらに構成され、前記別のバックオフ信号は、第３の受信機をウェイクアップさせるように構成される、
Ｃ３０に記載の装置。
［Ｃ３８］
前記バックオフ信号および前記別のバックオフ信号は、前記バックオフ信号の送信持続時間、または前記別のバックオフ信号の別の送信持続時間のうちの少なくとも１つの情報を備えるプリアンブルを共有する、
Ｃ３７に記載の装置。
［Ｃ３９］
前記送信機は、ヌルフレームを送信するようにさらに構成され、前記第１のトランシーバまたは前記第２の受信機のうちの少なくとも１つは、少なくとも部分的に前記ヌルフレームに基づいてクリアチャネルアセスメントを行うようにさらに構成される、
Ｃ３０に記載の装置。
［Ｃ４０］
前記送信機は、送信可信号を送信するようにさらに構成され、前記送信可信号は、別の時間期間の情報を備え、前記第１のトランシーバまたは前記第２の受信機のうちの少なくとも１つは、前記別の時間期間中前記ワイヤレス媒体へのアクセスを保留するようにさらに構成される、
Ｃ３０に記載の装置。
［Ｃ４１］
前記送信機は、オンオフ変調または周波数偏移変調のうちの少なくとも１つを使用して前記バックオフ信号を送信するようにさらに構成される、
Ｃ３０に記載の装置。
［Ｃ４２］
ワイヤレス局とワイヤレスに通信する方法であって、
第１の時間期間中に、前記ワイヤレス局からバックオフ信号を受信することと、ここにおいて、前記バックオフ信号は、第２の時間期間を示すように構成される、
前記第２の時間期間中ワイヤレス信号を送信するのを控えることと
を備える方法。
［Ｃ４３］
前記バックオフ信号は、前記バックオフ信号の送信持続時間の情報を備えるプリアンブルをさらに備え、前記ワイヤレス信号を送信するのを控えることは、前記送信持続時間中前記ワイヤレス信号を送信するのを控えることを備える、
Ｃ４２に記載の方法。
［Ｃ４４］
前記送信持続時間は、ＩＥＥＥ８０２．１１ＰＰＤＵ送信持続時間を備える、
Ｃ４３に記載の方法。
［Ｃ４５］
前記バックオフ信号はチェックサムをさらに備え、前記バックオフ信号を受信することは、前記チェックサムを基づいて前記バックオフ信号の首尾よい復号を検出することをさらに備える、
Ｃ４２に記載の方法。
［Ｃ４６］
前記バックオフ信号の送信帯域幅は、ＩＥＥＥ８０２．１１プリアンブルの送信帯域幅よりも小さい、
Ｃ４２に記載の方法。
［Ｃ４７］
前記方法は、
前記ワイヤレス局によって送信されたヌルフレームを受信することと、
少なくとも部分的に前記ヌルフレームに基づいてクリアチャネルアセスメントを行うことと
をさらに備える、Ｃ４２に記載の方法。
［Ｃ４８］
前記方法は、
前記ワイヤレス局によって送信された送信可信号を受信することと、ここにおいて、前記送信可信号は、第３の時間期間の情報を示すように構成され、前記第３の時間期間は、前記第１の時間期間または前記第２の時間期間のうちの少なくとも１つを備える、
前記第３の時間期間中前記ワイヤレス信号を送信するのを控えることと
を備える、Ｃ４２に記載の方法。
［Ｃ４９］
前記方法はさらに、
第１の受信機でワイヤレスデータパケットを受信することと、ここにおいて、前記第１の受信機は動作中、第１の電力レベルで電力を消費するように構成される、
第２の受信機で送信機局によって送信されたウェイクアップ信号を検出することと、ここにおいて、前記第２の受信機は、動作中、前記第１の電力レベルよりも低い第２の電力レベルで電力を消費するように構成される、
前記第２の受信機が前記ウェイクアップ信号を首尾よく検出するとき、前記第１の受信機をウェイクさせることと
を備える、Ｃ４２に記載の方法。
［Ｃ５０］
前記方法は、前記データパケットを受信するために前記第１の受信機をウェイクさせた後に、または前記データパケットを受信するために前記第１の受信機をウェイクさせる前に、前記第１の受信機を非アクティベートすることをさらに備える、
Ｃ４９に記載の方法。
［Ｃ５１］
前記方法は、前記ウェイクアップ信号を検出する前に、または前記ウェイクアップ信号を検出した後に前記第２の受信機を非アクティベートすることをさらに備える、
Ｃ４９に記載の方法。
［Ｃ５２］
前記ウェイクアップ信号を検出することは、繰り返し発生する時間期間で前記ウェイクアップ信号を検出することを備える、
Ｃ４９に記載の方法。
［Ｃ５３］
前記ウェイクアップ信号を検出することは、前記ウェイクアップ信号の送信時間期間を検出することをさらに備える、
Ｃ４９に記載の方法。
［Ｃ５４］
前記送信時間期間を検出することは、ＩＥＥＥ８０２．１１プリアンブルに基づいて前記送信時間期間を検出することを備える、
Ｃ５３に記載の方法。
［Ｃ５５］
前記送信時間期間を検出することは、ＩＥＥＥ８０２．１１ＰＰＤＵ送信持続時間を検出することを備える、
Ｃ５３に記載の方法。
［Ｃ５６］
前記ウェイクアップ信号を検出することは、前記ウェイクアップ信号のチェックサムに基づいて前記ウェイクアップ信号の首尾よい復号を検出することを備える、
Ｃ５５に記載の方法。
［Ｃ５７］
前記ウェイクアップ信号を検出することは、前記ウェイクアップ信号のペイロードを復号することをさらに備える、
Ｃ４９に記載の方法。
［Ｃ５８］
前記ウェイクアップ信号を検出することは、複数の相関器を使用して前記ウェイクアップ信号を検出することをさらに備える、
Ｃ４９に記載の方法。
［Ｃ５９］
前記方法は、前記送信機局によって送られた送信可信号を検出することをさらに備え、前記送信可信号は、前記ウェイクアップ信号の送信時間期間の情報を備える、
Ｃ４９に記載の方法。
［Ｃ６０］
前記送信可信号を検出することは、前記送信可信号の少なくとも１つの宛先アドレスの情報を検出することをさらに備え、前記少なくとも１つの宛先アドレスは、前記送信機局のアドレス、前記第２の受信機のアドレス、または別の所定のアドレスのうちの少なくとも１つの情報を備える、
Ｃ５９に記載の方法。
［Ｃ６１］
前記ウェイクアップ信号を検出することはさらに、オンオフ変調または周波数偏移変調のうちの少なくとも１つを使用して前記ウェイクアップ信号を復号することを備える、
Ｃ４９に記載の方法。
［Ｃ６２］
ワイヤレス媒体を介してワイヤレスの第１のトランシーバおよび第２のワイヤレス受信機とワイヤレスに通信する方法であって、
前記第１のトランシーバが時間期間中前記ワイヤレス媒体へのアクセスを保留するように、前記第１のトランシーバに前記時間期間を示すように構成されたバックオフ信号を生成することと、
前記第１のトランシーバおよび前記第２の受信機に前記バックオフ信号を送信することと
を備え、バックアップ信号は、前記第２の受信機をウェイクアップさせるように構成される、
方法。
［Ｃ６３］
前記バックオフ信号を生成することは、プリアンブルを備える前記バックオフ信号を生成することをさらに備え、前記プリアンブルは、前記第１のトランシーバが前記バックオフ信号の送信持続時間中前記ワイヤレス媒体への前記アクセスを保留するように、前記第１のトランシーバに前記バックオフ信号の前記送信持続時間を示すように構成される、
Ｃ６２に記載の方法。
［Ｃ６４］
前記バックオフ信号を生成することは、チェックサムを備える前記バックオフ信号を生成することをさらに備え、前記第１のトランシーバまたは前記第２の受信機のうちの少なくとも１つは、前記チェックサムに基づいて前記バックオフ信号の首尾よい復号を検出するように構成される、
Ｃ６２に記載の方法。
［Ｃ６５］
前記バックオフ信号を生成することは、データペイロードを備える前記バックオフ信号を生成することをさらに備え、前記第１のトランシーバまたは前記第２の受信機の少なくとも１つは、前記データペイロードを復号するようにさらに構成される、
Ｃ６２に記載の方法。
［Ｃ６６］
前記バックオフ信号を送信することは、ＩＥＥＥ８０２．１１ＰＰＤＵ送信持続時間中に前記バックオフ信号を送信することを備える、
Ｃ６２に記載の方法。
［Ｃ６７］
前記バックオフ信号を送信することは、ワイヤレスチャネルを介して前記バックオフ信号を送信することを備え、前記ワイヤレスチャネルの送信帯域幅は、ＩＥＥＥ８０２．１１プリアンブルの送信帯域幅よりも小さくあるように構成される、
Ｃ６２に記載の方法。
［Ｃ６８］
前記バックオフ信号を生成することは、少なくとも１つの単相信号を備える前記バックオフ信号を生成することを備える、
Ｃ６２に記載の方法。
［Ｃ６９］
前記方法は、
前記第１のトランシーバが別の時間期間中に前記ワイヤレス媒体へのアクセスを保留するように、前記第１のトランシーバに前記別の時間期間を示すように構成された別のバックオフ信号を生成することと、
第３の受信機をウェイクアップさせるように前記別のバックオフ信号を送信することと
をさらに備える、Ｃ６２に記載の方法。
［Ｃ７０］
前記バックオフ信号および別のバックオフ信号は、プリアンブルを共有し、前記プリアンブルは、前記バックオフ信号の送信持続時間、または前記別のバックオフ信号の別の送信持続時間のうちの少なくとも１つの情報を備える、
Ｃ６２に記載の方法。
［Ｃ７１］
前記方法は、ヌルフレームを送信することをさらに備え、前記第１のトランシーバまたは前記第２の受信機のうちの少なくとも１つは、少なくとも部分的に前記ヌルフレームに基づいてクリアチャネルアセスメントをさらに行うように構成される、
Ｃ６２に記載の方法。
［Ｃ７２］
前記方法は、送信可信号を送信することをさらに備え、前記送信可信号は、別の時間期間の情報を備え、前記別の時間期間は、前記時間期間を備え、前記第１のトランシーバまたは前記第２の受信機のうちの少なくとも１つはさらに、前記別の時間期間中前記ワイヤレス媒体へのアクセスを保留するように構成される、
Ｃ６２に記載の方法。
［Ｃ７３］
前記バックオフ信号を送信することは、オンオフ変調または周波数偏移変調のうちの少なくとも１つを使用して前記バックオフ信号を送信することを備える、
Ｃ６２に記載の方法。
［Ｃ７４］
ワイヤレス局とワイヤレスに通信するための装置であって、
第１の時間期間中に、前記ワイヤレス局からバックオフ信号を受信するための手段と、ここにおいて、前記バックオフ信号は、第２の時間期間を示すように構成される、
前記第２の時間期間中ワイヤレス信号を送信するのを控えるための手段と
を備える装置。
［Ｃ７５］
前記装置は、
前記ワイヤレス局によって送信されたヌルフレームを受信するための手段と、
少なくとも部分的に前記ヌルフレームに基づいてクリアチャネルアセスメントを行うための手段と
をさらに備える、Ｃ７４に記載の装置。
［Ｃ７６］
前記装置は、
前記ワイヤレス局によって送信された送信可信号を受信するための手段と、ここにおいて、前記送信可信号は、第３の時間期間の情報を示すように構成され、前記第３の時間期間は、前記第１の時間期間または前記第２の時間期間のうちの少なくとも１つを備える、
前記第３の時間期間中前記ワイヤレス信号を送信するのを控えるための手段と
をさらに備える、Ｃ７４に記載の装置。
［Ｃ７７］
前記装置は、
ワイヤレスデータパケットを受信するための手段と、ここにおいて、前記データパケットを受信するための手段は、動作中、第１の電力レベルで消費するように構成される、
送信機局によって送信されたウェイクアップ信号を検出するための手段と、ここにおいて、前記ウェイクアップ信号を検出するための手段は、動作中、前記第１の電力レベルよりも低い第２の電力レベルで電力を消費するように構成される、
第２の受信機が前記ウェイクアップ信号を検出するとき、第１の受信機をウェイクさせるための手段とをさらに備える、Ｃ７４に記載の装置。
［Ｃ７８］
前記装置は、前記ワイヤレスデータパケットを受信するための手段を非アクティベートするための手段をさらに備える、
Ｃ７７に記載の装置。
［Ｃ７９］
前記装置は、前記ウェイクアップ信号を検出するための手段を非アクティベートするための手段をさらに備える、
Ｃ７７に記載の装置。
［Ｃ８０］
前記装置は、前記送信機局によって送られた送信可信号を検出するための手段をさらに備える、
Ｃ７７に記載の装置。
［Ｃ８１］
ワイヤレス媒体を介してワイヤレスの第１のトランシーバおよび第２のワイヤレス受信機とワイヤレスに通信するための装置であって、
前記第１のトランシーバが時間期間中前記ワイヤレス媒体へのアクセスを保留するように、前記第１のトランシーバに前記時間期間を示すように構成されたバックオフ信号を生成するための手段と、
前記第１のトランシーバおよび前記第２の受信機に前記バックオフ信号を送信するための手段と
を備え、バックアップ信号は、前記第２の受信機をウェイクアップさせるように構成される、
装置。
［Ｃ８２］
前記装置は、ヌルフレームを送信するための手段を備え、前記第１のトランシーバまたは前記第２の受信機のうちの少なくとも１つはさらに、少なくとも部分的に前記ヌルフレームに基づいてクリアチャネルアセスメントを行うようにさらに構成される、
Ｃ８１に記載の装置。
［Ｃ８３］
前記装置は、送信可信号を送信するための手段をさらに備え、前記送信可信号は、別の時間期間の情報を備え、前記別の時間期間は、前記時間期間を備え、前記第１のトランシーバまたは前記第２の受信機のうちの少なくとも１つはさらに、前記別の時間期間中前記ワイヤレス媒体へのアクセスを保留するように構成される、
Ｃ８１に記載の装置。